(57)【要約】  本発明はデータ伝送方法及び装置、コンピュータ記憶媒体を開示し、前記方法は、第１端末はＮ個のチャネルを介して第２端末から送信された第１参照信号を受信し、Ｎが正の整数であり、異なるチャネル間の伝送リソースが時分割されることと、前記第１端末は前記Ｎ個のチャネルにおいて受信された第１参照信号に基づいて、前記Ｎ個のチャネルから目標チャネルを選択することと、前記第１端末は前記目標チャネルにおいて前記第２端末にデータ又はシグナリングを伝送することと、を含む。
2021516479.tif 000002
【特許請求の範囲】
【請求項１】
データ伝送方法であって、
第１端末はＮ個のチャネルを介して第２端末から送信された第１参照信号を受信し、Ｎが正の整数であり、異なるチャネル間の伝送リソースが時分割されることと、
前記第１端末は前記Ｎ個のチャネルにおいて受信された第１参照信号に基づいて、前記Ｎ個のチャネルから目標チャネルを選択することと、
前記第１端末は前記目標チャネルにおいて前記第２端末にデータ又はシグナリングを伝送することと、を含むデータ伝送方法。
【請求項２】
前記方法は更に、
前記第１端末が前記第２端末から送信された制御チャネルを受信することを含み、前記第２端末の制御チャネルと前記第２端末の前記第１参照信号とは時分割される請求項１に記載の方法。
【請求項３】
前記第２端末の制御チャネルは、前記第２端末の前記制御チャネルに対応するデータチャネルに前記第１参照信号が含まれることを決定するための第１指示情報を含む請求項１又は２に記載の方法。
【請求項４】
前記第２端末の前記第１参照信号の伝送リソースは前記第２端末の制御チャネルによって決定される請求項１〜３のいずれか１項に記載の方法。
【請求項５】
前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む請求項４に記載の方法。
【請求項６】
前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む請求項４に記載の方法。
【請求項７】
前記第２端末の制御チャネルは、前記第１参照信号が前記第１端末による目標チャネルの選択それとも前記第２端末による目標チャネルの選択に使用されるかを決定するための第３指示情報を含む請求項１〜６のいずれか１項に記載の方法。
【請求項８】
前記第１端末がＮ個のチャネルを介して第２端末から送信された第１参照信号を受信することは、
前記第１端末がＮ個のチャネルを介して、それぞれ前記第２端末から送信されたＮ個の第１参照信号を受信することを含み、前記Ｎ個の第１参照信号が時分割される請求項１〜７のいずれか１項に記載の方法。
【請求項９】
前記第２端末の制御チャネルは、前記Ｎの値を決定するための第４指示情報を含む請求項１〜８のいずれか１項に記載の方法。
【請求項１０】
前記Ｎの値はネットワークにより設定されたもの又は予め設定されたものである請求項１〜９のいずれか１項に記載の方法。
【請求項１１】
前記第１参照信号はネットワークにより設定されたもの又は予め設定されたものである請求項１〜１０のいずれか１項に記載の方法。
【請求項１２】
前記第１端末が前記Ｎ個のチャネルにおいて受信された第１参照信号に基づいて、前記Ｎ個のチャネルから目標チャネルを選択することは、
前記第１端末が前記Ｎ個のチャネルにおける第１参照信号の信号品質を測定し、前記Ｎ個のチャネルに対応する信号品質に基づいて前記Ｎ個のチャネルから目標チャネルを選択することを含む請求項１〜１１のいずれか１項に記載の方法。
【請求項１３】
前記第１端末が前記目標チャネルにおいて前記第２端末にデータ又はシグナリングを伝送することは、
前記第１端末がセンシングによって目標伝送リソースを取得し、又は前記第１端末がネットワークから送信されたリソース構成情報を受信し、前記リソース構成情報は前記第１端末がデータを伝送するために用いた目標伝送リソースを含むことと、
前記第１端末が前記目標伝送リソースにおいて前記目標チャネルを使用して前記第２端末にデータ又はシグナリングを伝送することと、を含む請求項１〜１２のいずれか１項に記載の方法。
【請求項１４】
データ伝送方法であって、
第２端末は、第１端末に第１参照信号を送信し、前記第１参照信号が前記第１端末によりＮ個のチャネルを介して受信され、前記Ｎ個のチャネルにおいて受信された第１参照信号に基づいて前記Ｎ個のチャネルから目標チャネルを選択し、Ｎが正の整数であり、異なるチャネル間の伝送リソースが時分割されることと、
前記第２端末は、前記第１端末が前記目標チャネルにおいて送信したデータ又はシグナリングを受信することと、を含むデータ伝送方法。
【請求項１５】
前記方法は更に、
前記第２端末が前記第１端末に制御チャネルを送信することを含み、前記第２端末の制御チャネルと前記第２端末の前記第１参照信号とは時分割される請求項１４に記載の方法。
【請求項１６】
前記第２端末の制御チャネルは、前記第２端末の前記制御チャネルに対応するデータチャネルに前記第１参照信号が含まれることを決定するための第１指示情報を含む請求項１４又は１５に記載の方法。
【請求項１７】
前記第２端末の前記第１参照信号の伝送リソースは前記第２端末の制御チャネルによって決定される請求項１６に記載の方法。
【請求項１８】
前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む請求項１７に記載の方法。
【請求項１９】
前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む請求項１７に記載の方法。
【請求項２０】
前記第２端末の制御チャネルは、前記第１参照信号が前記第１端末による目標チャネルの選択それとも前記第２端末による目標チャネルの選択に使用されるかを決定するための第３指示情報を含む請求項１４〜１９のいずれか１項に記載の方法。
【請求項２１】
前記第２端末が第１端末に第１参照信号を送信することは、
前記第２端末が前記第１端末にＮ個の第１参照信号を送信し、それにより前記第１端末がＮ個のチャネルを介してそれぞれ前記Ｎ個の第１参照信号を受信することを含み、前記Ｎ個の第１参照信号が時分割される請求項１４〜２０のいずれか１項に記載の方法。
【請求項２２】
前記第２端末の制御チャネルは、前記Ｎの値を決定するための第４指示情報を含む請求項１４〜２１のいずれか１項に記載の方法。
【請求項２３】
前記Ｎの値はネットワークにより設定されたもの又は予め設定されたものである請求項１４〜２２のいずれか１項に記載の方法。
【請求項２４】
前記第１参照信号はネットワークにより設定されたもの又は予め設定されたものである請求項１４〜２３のいずれか１項に記載の方法。
【請求項２５】
データ伝送装置であって、
Ｎ個のチャネルを介して第２端末から送信された第１参照信号を受信することに用いられ、Ｎが正の整数であり、異なるチャネル間の伝送リソースが時分割される第１受信ユニットと、
前記Ｎ個のチャネルにおいて受信された第１参照信号に基づいて、前記Ｎ個のチャネルから目標チャネルを選択することに用いられる選択ユニットと、
前記目標チャネルにおいて前記第２端末にデータ又はシグナリングを伝送することに用いられる伝送ユニットと、を備えるデータ伝送装置。
【請求項２６】
前記装置は更に、
前記第２端末から送信された制御チャネルを受信することに用いられ、前記第２端末の制御チャネルと前記第２端末の前記第１参照信号が時分割される第２受信ユニットを備える請求項２５に記載の装置。
【請求項２７】
前記第２端末の制御チャネルは、前記第２端末の前記制御チャネルに対応するデータチャネルに前記第１参照信号が含まれることを決定するための第１指示情報を含む請求項２５又は２６に記載の装置。
【請求項２８】
前記第２端末の前記第１参照信号の伝送リソースは前記第２端末の制御チャネルによって決定される請求項２５〜２７のいずれか１項に記載の装置。
【請求項２９】
前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む請求項２８に記載の装置。
【請求項３０】
前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む請求項２８に記載の装置。
【請求項３１】
前記第２端末の制御チャネルは、前記第１参照信号が前記第１端末による目標チャネルの選択それとも前記第２端末による目標チャネルの選択に使用されるかを決定するための第３指示情報を含む請求項２５〜３０のいずれか１項に記載の装置。
【請求項３２】
前記第１受信ユニットは、Ｎ個のチャネルを介してそれぞれ前記第２端末から送信されたＮ個の第１参照信号を受信することに用いられ、前記Ｎ個の第１参照信号が時分割される請求項２５〜３１のいずれか１項に記載の装置。
【請求項３３】
前記第２端末の制御チャネルは前記Ｎの値を決定するための第４指示情報を含む請求項２５〜３２のいずれか１項に記載の装置。
【請求項３４】
前記Ｎの値はネットワークにより設定されたもの又は予め設定されたものである請求項２５〜３３のいずれか１項に記載の装置。
【請求項３５】
前記第１参照信号はネットワークにより設定されたもの又は予め設定されたものである請求項２５〜３４のいずれか１項に記載の装置。
【請求項３６】
前記装置は更に、
前記Ｎ個のチャネルにおける第１参照信号の信号品質を測定することに用いられる測定ユニットを備え、
前記選択ユニットは、前記Ｎ個のチャネルに対応する信号品質に基づいて前記Ｎ個のチャネルから目標チャネルを選択することに用いられる請求項２５〜３５のいずれか１項に記載の装置。
【請求項３７】
前記装置は更に、
センシングによって目標伝送リソースを取得し、又はネットワークから送信されたリソース構成情報を受信することに用いられ、前記リソース構成情報は前記第１端末がデータを伝送するために用いた目標伝送リソースを含むリソース取得ユニットを備え、
前記伝送ユニットは、前記目標伝送リソースにおいて前記目標チャネルを使用して前記第２端末にデータ又はシグナリングを伝送することに用いられる請求項２５〜３６のいずれか１項に記載の装置。
【請求項３８】
データ伝送装置であって、
第１端末に第１参照信号を送信し、前記第１参照信号が前記第１端末によりＮ個のチャネルを介して受信され、前記Ｎ個のチャネルにおいて受信された第１参照信号に基づいて前記Ｎ個のチャネルから目標チャネルを選択することに用いられ、Ｎが正の整数であり、異なるチャネル間の伝送リソースが時分割される第１送信ユニットと、
前記第１端末が前記目標チャネルにおいて送信したデータ又はシグナリングを受信することに用いられる伝送ユニットと、を備えるデータ伝送装置。
【請求項３９】
前記装置は更に、
前記第１端末に制御チャネルを送信することに用いられ、前記第２端末の制御チャネルと前記第２端末の前記第１参照信号が時分割される第２送信ユニットを備える請求項３８に記載の装置。
【請求項４０】
前記第２端末の制御チャネルは、前記第２端末の前記制御チャネルに対応するデータチャネルに前記第１参照信号が含まれることを決定するための第１指示情報を含む請求項３８又は３９に記載の装置。
【請求項４１】
前記第２端末の前記第１参照信号の伝送リソースは前記第２端末の制御チャネルによって決定される請求項４０に記載の装置。
【請求項４２】
前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む請求項４１に記載の装置。
【請求項４３】
前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む請求項４１に記載の装置。
【請求項４４】
前記第２端末の制御チャネルは、前記第１参照信号が前記第１端末による目標チャネルの選択それとも前記第２端末による目標チャネルの選択に使用されるかを決定するための第３指示情報を含む請求項３８〜４３のいずれか１項に記載の装置。
【請求項４５】
前記第１送信ユニットは、前記第１端末にＮ個の第１参照信号を送信し、それにより前記第１端末がＮ個のチャネルを介してそれぞれ前記Ｎ個の第１参照信号を受信することに用いられ、前記Ｎ個の第１参照信号が時分割される請求項３８〜４４のいずれか１項に記載の装置。
【請求項４６】
前記第２端末の制御チャネルは前記Ｎの値を決定するための第４指示情報を含む請求項３８〜４５のいずれか１項に記載の装置。
【請求項４７】
前記Ｎの値はネットワークにより設定されたもの又は予め設定されたものである請求項３８〜４６のいずれか１項に記載の装置。
【請求項４８】
前記第１参照信号はネットワークにより設定されたもの又は予め設定されたものである請求項３８〜４７のいずれか１項に記載の装置。
【請求項４９】
コンピュータ記憶媒体であって、コンピュータ実行可能命令が記憶され、該コンピュータ実行可能命令がプロセッサにより実行されるとき、請求項１〜１３のいずれか１項に記載の方法ステップ、又は請求項１４〜２４のいずれか１項に記載の方法ステップを実現するコンピュータ記憶媒体。
【発明の詳細な説明】
【技術分野】
【０００１】
本発明は無線通信技術分野に関し、特にデータ伝送方法及び装置、コンピュータ記憶媒体に関する。
【背景技術】
【０００２】
車両インターネットシステムはロングタームエボリューション（ＬＴＥ、Ｌｏｎｇ  Ｔｅｒｍ  Ｅｖｏｌｕｔｉｏｎ）−端末間（Ｄ２Ｄ、Ｄｅｖｉｃｅ  ｔｏ  Ｄｅｖｉｃｅ）に基づくサイドリンク（ＳＬ、Ｓｉｄｅｌｉｎｋ）伝送技術を用い、従来のＬＴＥシステムにおける基地局によって通信データを送受信する方式と異なり、車両インターネットシステムは端末間直接通信の方式を用いるため、より高いスペクトル効率及びより低い伝送遅延を有する。
【０００３】
第３世代の移動体通信システムの標準化プロジェクト（３ＧＰＰ、ｔｈｅ  ３ｒｄ  Ｇｅｎｅｒａｔｉｏｎ  Ｐａｒｔｎｅｒｓｈｉｐ  Ｐｒｏｊｅｃｔ）Ｒｅｌ−１４において車両インターネット技術（Ｖ２Ｘ、Ｖｅｈｉｃｌｅ−ｔｏ−Ｅｖｅｒｙｔｈｉｎｇ）を標準化し、モード３及びモード４の２種類の伝送モードを定義した。モード３において、端末の伝送リソースは基地局により割り当てられる。モード４において、端末はセンシング（ｓｅｎｓｉｎｇ）＋予約（ｒｅｓｅｒｖａｔｉｏｎ）の方式を用いて伝送リソースを決定する。
【０００４】
新無線（ＮＲ、Ｎｅｗ  Ｒａｄｉｏ）−Ｖ２Ｘにおいて、自動運転をサポートする必要があるため、車両間のデータ交換に対して、より高い要求、例えばより高いスループット、より低い遅延、より高い信頼性、より広いカバレッジ範囲、より柔軟なリソース割り当て等を提出する。上記要求を満足するために、ＮＲ−Ｖ２Ｘにマルチアンテナ伝送技術を導入する必要があり、マルチアンテナ伝送技術において、ビームフォーミング（Ｂｅａｍｆｏｒｍｉｎｇ）によってカバレッジ範囲及び信頼性を向上させることができ、データ送信側がどのように複数の候補ビームから最適なビームを選択するかは、送信側がビーム走査を行ってそれぞれ異なるビームを利用して伝送し、受信側がそれぞれ各ビームを介して伝送したデータを受信することで、伝送品質の最適なビームを最適なビームとして選択して、該ビームのインデックス値を送信側にフィードバックすることにより実現され、後続のデータ伝送において、送信側は該最適なビームを利用してデータ伝送を行ってもよい。
【０００５】
上記過程において、データ受信側によって最適なビームを選択してデータ送信側にフィードバックし、このような方式はフィードバックチャネルを設計する必要がある。フィードバックチャネルの導入は以下の問題を引き起こしてしまう。
【０００６】
１）フィードバックチャネルのリソース問題
車両インターネットシステム、特にモード４の伝送方式において、端末の伝送リソースはいずれも競争方式で取得されたものであるため、データ受信側がフィードバックチャネルのリソースを取得できるように確保することが困難である。
【０００７】
２）フィードバックの遅延問題
データ受信側はフィードバックチャネルのリソースを取得してデータ送信側にビーム情報をフィードバックしたが、フィードバック遅延が長ければ、フィードバックしたビーム情報は失効した恐れがある。
【０００８】
３）フィードバック情報の伝送問題
データ受信側は一般的に全方向性の方式でビーム情報をフィードバックし、データ送信側も全方向性の方式でビーム情報を受信するため、データ送信側がフィードバック情報を正しく受信できるように確保することが困難である。
【発明の概要】
【発明が解決しようとする課題】
【０００９】
上記技術的問題を解決するために、本発明の実施例はデータ伝送方法及び装置、コンピュータ記憶媒体を提供する。
【課題を解決するための手段】
【００１０】
本発明の実施例に係るデータ伝送方法は、
第１端末はＮ個のチャネルを介して第２端末から送信された第１参照信号を受信し、Ｎが正の整数であり、異なるチャネル間の伝送リソースが時分割されることと、
前記第１端末は前記Ｎ個のチャネルにおいて受信された第１参照信号に基づいて、前記Ｎ個のチャネルから目標チャネルを選択することと、
前記第１端末は前記目標チャネルにおいて前記第２端末にデータ又はシグナリングを伝送することと、を含む。
【００１１】
本発明の実施例では、前記方法は更に、
前記第１端末が前記第２端末から送信された制御チャネルを受信することを含み、前記第２端末の制御チャネルと前記第２端末の前記第１参照信号が時分割される。
【００１２】
本発明の実施例では、前記第２端末の制御チャネルは、前記第２端末の前記制御チャネルに対応するデータチャネルに前記第１参照信号が含まれることを決定するための第１指示情報を含む。
【００１３】
本発明の実施例では、前記第２端末の前記第１参照信号の伝送リソースは前記第２端末の制御チャネルによって決定される。
【００１４】
本発明の実施例では、前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む。
【００１５】
本発明の実施例では、前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む。
【００１６】
本発明の実施例では、前記第２端末の制御チャネルは、前記第１参照信号が前記第１端末による目標チャネルの選択それとも前記第２端末による目標チャネルの選択に使用されるかを決定するための第３指示情報を含む。
【００１７】
本発明の実施例では、前記第１端末がＮ個のチャネルを介して第２端末から送信された第１参照信号を受信することは、
前記第１端末がＮ個のチャネルを介してそれぞれ前記第２端末から送信されたＮ個の第１参照信号を受信することを含み、前記Ｎ個の第１参照信号が時分割される。
【００１８】
本発明の実施例では、前記第２端末の制御チャネルは前記Ｎの値を決定するための第４指示情報を含む。
【００１９】
本発明の実施例では、前記Ｎの値はネットワークにより設定されたもの又は予め設定されたものである。
【００２０】
本発明の実施例では、前記第１参照信号はネットワークにより設定されたもの又は予め設定されたものである。
【００２１】
本発明の実施例では、前記第１端末が前記Ｎ個のチャネルにおいて受信された第１参照信号に基づいて、前記Ｎ個のチャネルから目標チャネルを選択することは、
前記第１端末が前記Ｎ個のチャネルにおける第１参照信号の信号品質を測定し、前記Ｎ個のチャネルに対応する信号品質に基づいて前記Ｎ個のチャネルから目標チャネルを選択することを含む。
【００２２】
本発明の実施例では、前記第１端末が前記目標チャネルにおいて前記第２端末にデータ又はシグナリングを伝送することは、
前記第１端末がセンシングによって目標伝送リソースを取得し、又は前記第１端末がネットワークから送信されたリソース構成情報を受信し、前記リソース構成情報は前記第１端末がデータを伝送するために用いた目標伝送リソースを含むことと、
前記第１端末が前記目標伝送リソースにおいて前記目標チャネルを使用して前記第２端末にデータ又はシグナリングを伝送することと、を含む。
【００２３】
本発明の実施例に係るデータ伝送方法は、
第２端末は、第１端末に第１参照信号を送信し、前記第１参照信号が前記第１端末によりＮ個のチャネルを介して受信され、前記Ｎ個のチャネルにおいて受信された第１参照信号に基づいて前記Ｎ個のチャネルから目標チャネルを選択し、Ｎが正の整数であり、異なるチャネル間の伝送リソースが時分割されることと、
前記第２端末は、前記第１端末が前記目標チャネルにおいて送信したデータ又はシグナリングを受信することと、を含む。
【００２４】
本発明の実施例では、前記方法は更に、
前記第２端末が前記第１端末に制御チャネルを送信することを含み、前記第２端末の制御チャネルと前記第２端末の前記第１参照信号が時分割される。
【００２５】
本発明の実施例では、前記第２端末の制御チャネルは、前記第２端末の前記制御チャネルに対応するデータチャネルに前記第１参照信号が含まれることを決定するための第１指示情報を含む。
【００２６】
本発明の実施例では、前記第２端末の前記第１参照信号の伝送リソースは前記第２端末の制御チャネルによって決定される。
【００２７】
本発明の実施例では、前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む。
【００２８】
本発明の実施例では、前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む。
【００２９】
本発明の実施例では、前記第２端末の制御チャネルは、前記第１参照信号が前記第１端末による目標チャネルの選択それとも前記第２端末による目標チャネルの選択に使用されるかを決定するための第３指示情報を含む。
【００３０】
本発明の実施例では、前記第２端末が第１端末に第１参照信号を送信することは、
前記第２端末が前記第１端末にＮ個の第１参照信号を送信し、それにより前記第１端末がＮ個のチャネルを介してそれぞれ前記Ｎ個の第１参照信号を受信することを含み、前記Ｎ個の第１参照信号が時分割される。
【００３１】
本発明の実施例では、前記第２端末の制御チャネルは前記Ｎの値を決定するための第４指示情報を含む。
【００３２】
本発明の実施例では、前記Ｎの値はネットワークにより設定されたもの又は予め設定されたものである。
【００３３】
本発明の実施例では、前記第１参照信号はネットワークにより設定されたもの又は予め設定されたものである。
【００３４】
本発明の実施例に係るデータ伝送装置は、
Ｎ個のチャネルを介して第２端末から送信された第１参照信号を受信することに用いられ、Ｎが正の整数であり、異なるチャネル間の伝送リソースが時分割される第１受信ユニットと、
前記Ｎ個のチャネルにおいて受信された第１参照信号に基づいて、前記Ｎ個のチャネルから目標チャネルを選択することに用いられる選択ユニットと、
前記目標チャネルにおいて前記第２端末にデータ又はシグナリングを伝送することに用いられる伝送ユニットと、を備える。
【００３５】
本発明の実施例では、前記装置は更に、
前記第２端末から送信された制御チャネルを受信することに用いられ、前記第２端末の制御チャネルと前記第２端末の前記第１参照信号が時分割される第２受信ユニットを備える。
【００３６】
本発明の実施例では、前記第２端末の制御チャネルは、前記第２端末の前記制御チャネルに対応するデータチャネルに前記第１参照信号が含まれることを決定するための第１指示情報を含む。
【００３７】
本発明の実施例では、前記第２端末の前記第１参照信号の伝送リソースは前記第２端末の制御チャネルによって決定される。
【００３８】
本発明の実施例では、前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む。
【００３９】
本発明の実施例では、前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む。
【００４０】
本発明の実施例では、前記第２端末の制御チャネルは、前記第１参照信号が前記第１端末による目標チャネルの選択それとも前記第２端末による目標チャネルの選択に使用されるかを決定するための第３指示情報を含む。
【００４１】
本発明の実施例では、前記第１受信ユニットは、Ｎ個のチャネルを介してそれぞれ前記第２端末から送信されたＮ個の第１参照信号を受信することに用いられ、前記Ｎ個の第１参照信号が時分割される。
【００４２】
本発明の実施例では、前記第２端末の制御チャネルは前記Ｎの値を決定するための第４指示情報を含む。
【００４３】
本発明の実施例では、前記Ｎの値はネットワークにより設定されたもの又は予め設定されたものである。
【００４４】
本発明の実施例では、前記第１参照信号はネットワークにより設定されたもの又は予め設定されたものである。
【００４５】
本発明の実施例では、前記装置は更に、
前記Ｎ個のチャネルにおける第１参照信号の信号品質を測定することに用いられる測定ユニットを備え、
前記選択ユニットは、前記Ｎ個のチャネルに対応する信号品質に基づいて前記Ｎ個のチャネルから目標チャネルを選択することに用いられる。
【００４６】
本発明の実施例では、前記装置は更に、
センシングによって目標伝送リソースを取得し、又はネットワークから送信されたリソース構成情報を受信することに用いられ、前記リソース構成情報は前記第１端末がデータを伝送するために用いた目標伝送リソースを含むリソース取得ユニットを備え、
前記伝送ユニットは、前記目標伝送リソースにおいて前記目標チャネルを使用して前記第２端末にデータ又はシグナリングを伝送することに用いられる。
【００４７】
本発明の実施例に係るデータ伝送装置は、
第１端末に第１参照信号を送信し、前記第１参照信号が前記第１端末によりＮ個のチャネルを介して受信され、前記Ｎ個のチャネルにおいて受信された第１参照信号に基づいて前記Ｎ個のチャネルから目標チャネルを選択することに用いられ、Ｎが正の整数であり、異なるチャネル間の伝送リソースが時分割される第１送信ユニットと、
前記第１端末が前記目標チャネルにおいて送信したデータ又はシグナリングを受信することに用いられる伝送ユニットと、を備える。
【００４８】
本発明の実施例では、前記装置は更に、
前記第１端末に制御チャネルを送信することに用いられ、前記第２端末の制御チャネルと前記第２端末の前記第１参照信号が時分割される第２送信ユニットを備える。
【００４９】
本発明の実施例では、前記第２端末の制御チャネルは、前記第２端末の前記制御チャネルに対応するデータチャネルに前記第１参照信号が含まれることを決定するための第１指示情報を含む。
【００５０】
本発明の実施例では、前記第２端末の前記第１参照信号の伝送リソースは前記第２端末の制御チャネルによって決定される。
【００５１】
本発明の実施例では、前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む。
【００５２】
本発明の実施例では、前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む。
【００５３】
本発明の実施例では、前記第２端末の制御チャネルは、前記第１参照信号が前記第１端末による目標チャネルの選択それとも前記第２端末による目標チャネルの選択に使用されるかを決定するための第３指示情報を含む。
【００５４】
本発明の実施例では、前記第１送信ユニットは、前記第１端末にＮ個の第１参照信号を送信し、それにより前記第１端末がＮ個のチャネルを介してそれぞれ前記Ｎ個の第１参照信号を受信することに用いられ、前記Ｎ個の第１参照信号が時分割される。
【００５５】
本発明の実施例では、前記第２端末の制御チャネルは前記Ｎの値を決定するための第４指示情報を含む。
【００５６】
本発明の実施例では、前記Ｎの値はネットワークにより設定されたもの又は予め設定されたものである。
【００５７】
本発明の実施例では、前記第１参照信号はネットワークにより設定されたもの又は予め設定されたものである。
【００５８】
本発明の実施例に係るコンピュータ記憶媒体には、コンピュータ実行可能命令が記憶され、該コンピュータ実行可能命令がプロセッサにより実行されるとき、上記データ伝送方法を実現する。
【発明の効果】
【００５９】
本発明の実施例の技術案において、第１端末はＮ個のチャネルを介して第２端末から送信された第１参照信号を受信し、Ｎが正の整数であり、異なるチャネル間の伝送リソースが時分割され、前記第１端末は前記Ｎ個のチャネルにおいて受信された第１参照信号に基づいて、前記Ｎ個のチャネルから目標チャネルを選択し、前記第１端末は前記目標チャネルにおいて前記第２端末にデータ又はシグナリングを伝送する。本発明の実施例の技術案によれば、第２端末が第１参照信号を送信し、第１端末がビームポーリング方式で第１参照信号を受信し、各ビームを介して受信された第１参照信号に基づいて最適なビームを選択し、該最適なビームをその後のデータ伝送に用い、ビームフィードバック過程を回避し、このため、フィードバックチャネルを設計する必要がなく、複雑度を低減する。
【図面の簡単な説明】
【００６０】
ここで説明される図面は本発明を更に理解するためのものであって、本願の一部となり、本発明の例示的な実施例及びその説明は本発明を解釈するためのものであって、本発明を不適切に制限するものではない。
【００６１】
【図１】図１は車両インターネットにおけるモード３のシーンの模式図である。
【図２】図２は車両インターネットにおけるモード４のシーンの模式図である。
【図３】図３は本発明の実施例のデータ伝送方法の模式的なフローチャート１である。
【図４】図４は本発明の実施例のデータ伝送方法の模式的なフローチャート２である。
【図５】図５は本発明の実施例のデータ伝送装置の構造模式図１である。
【図６】図６は本発明の実施例のデータ伝送装置の構造模式図２である。
【図７】図７は本発明の実施例のコンピュータ装置の構造模式図である。
【発明を実施するための形態】
【００６２】
本発明の実施例の特徴及び技術的内容をより詳しく理解するために、以下に図面を参照しながら本発明の実施例の実現を詳しく説明し、添付の図面は参照・説明のためのものであって、本発明の実施例を制限するためのものではない。
【００６３】
本発明の実施例の技術案を理解しやすくするために、以下にそれぞれ車両インターネットにおけるモード３及びモード４を解釈して説明する。
【００６４】
モード３
図１に示すように、車載端末の伝送リソースは基地局（例えば、ＬＴＥにおける発展型基地局（ｅＮＢ、ｅｖｏｌｖｅｄ  ＮｏｄｅＢ））により割り当てられたものであり、具体的に、基地局はダウンリンク（ＤＬ、Ｄｏｗｎ  Ｌｉｎｋ）を介して車載端末にグラント（Ｇｒａｎｔ）リソースを示すための制御メッセージを送信し、その後、車載端末は基地局により割り当てられたリソースに基づいてＳＬにおいてデータ送信を行う。モード３において、基地局は１回送信するリソースを車載端末に割り当ててもよく、準静的に送信するリソースを端末に割り当ててもよい。
【００６５】
モード４
図２に示すように、車載端末はセンシング＋予約の伝送方式を用いる。車載端末はリソースプールからセンシング方式で利用可能な伝送リソースセットを取得し、車載端末は該伝送リソースセットから１つのリソースをランダムに選択してデータ伝送を行う。車両インターネットシステムにおけるサービスが周期的特徴を有するため、車載端末は一般的に準静的伝送方式を用い、即ち、車載端末は１つの伝送リソースを選択した後、複数の伝送周期において該リソースを継続使用することとなり、それによりリソース再選択及びリソース衝突の確率を低減する。車載端末は今回伝送する制御情報に次回伝送するリソースの情報を含めて予約させることとなり、それにより他の端末は該車載端末の制御情報を検出することにより、このリソースが該車載端末に予約・使用されたかどうかを判断することができ、リソース衝突を低減するという目的を実現する。
【００６６】
なお、ＬＴＥ−Ｖ２Ｘにおいてそれぞれモード３で車載端末の伝送リソースが基地局により割り当てられたものであることを示し、モード４で車載端末の伝送リソースが端末の自主的に選択したものであることを示し、ＮＲ−Ｖ２Ｘにおいて、新しい伝送モードを定義してもよく、本発明は制限しない。
【００６７】
ＮＲ−Ｖ２Ｘにマルチアンテナ伝送技術を導入する必要があり、マルチアンテナは以下のいくつかの面での利点がある。
【００６８】
１）より高い伝送速度
マルチアンテナの多重伝送方式を利用して、同じ時間周波数リソースにおいて複数のデータストリームを伝送することができ、伝送速度を向上させる。
【００６９】
２）より広いカバレッジ範囲及びより高い信頼性
ビームフォーミング（Ｂｅａｍｆｏｒｍｉｎｇ）技術を利用して、エネルギーを１つの狭いビームに集中することができ、受信側の信号対干渉雑音比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させ、それにより受信側の受信成功確率を向上させ、又は伝送距離を延長させることができる。
【００７０】
本発明の実施例はデータ伝送方法を提供し、車両インターネットシステムにおいてデータ送信のための最適なビームを決定することができる。本発明の実施例の技術案において、参照信号送信側（即ち第２端末）は第１参照信号（ビームトレーニング参照信号又はビーム走査参照信号とも称される）を送信し、参照信号受信側（即ち第１端末）はそれぞれ異なるチャネル（ビームとも称される）を使用して第１参照信号を受信し、その中から最適なチャネル（即ち目標チャネル）を選択してデータ伝送を行う。
【００７１】
本発明の実施例のすべての技術案は車両インターネットシステムに適用されるだけでなく、他の端末間通信システムにも適用され、本発明の実施例における前記端末は車載端末、携帯端末、無線携帯情報端末（ＰＤＡ、Ｐｅｒｓｏｎａｌ  Ｄｉｇｉｔａｌ  Ａｓｓｉｓｔａｎｔ）、ウェアラブル端末等であってもよく、本発明の実施例における前記ネットワークはＮＲネットワーク、ＬＴＥネットワーク等であってもよい。
【００７２】
図３は本発明の実施例のデータ伝送方法の模式的なフローチャート１であり、図３に示すように、前記データ伝送方法は以下のステップを含む。
【００７３】
ステップ３０１、第１端末はＮ個のチャネルを介して第２端末から送信された第１参照信号を受信し、Ｎが正の整数であり、異なるチャネル間の伝送リソースが時分割される。
【００７４】
本発明の実施例では、第１端末及び第２端末のタイプは制限されず、車載端末、携帯電話、ノートパソコン等の装置であってもよい。
【００７５】
本発明の実施例では、第２端末が全方向性の方式で第１参照信号を送信し、第１端末はＮ個のチャネルを介して第２端末から送信された第１参照信号を受信し、異なるチャネル間の伝送リソースが時分割される。
【００７６】
ここで、第１端末がＮ個のチャネルを介して第２端末から送信された第１参照信号を受信することは、第１端末がＢｅａｍｆｏｒｍｉｎｇ技術でＮ個のビームを形成し、異なるビーム間の伝送リソースが時分割され、１つのビームが１つのチャネルを代表し、第１端末がビームポーリング方式でそれぞれＮ個のビーム（即ちチャネル）を使用して前記第２端末から送信されたＮ個の第１参照信号を受信するという方式で実現され、ここで、前記Ｎ個の第１参照信号が時分割され、前記伝送リソースは時間周波数リソースであってもよい。
【００７７】
例えば、第２端末がＮ個の第１参照信号を送信し、各参照信号が１つの直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占有し、第１端末がそれぞれＮ個のビームを使用してＮ個の第１参照信号を受信し、即ち、第１端末は第１参照信号の位置するＮ個のシンボルにおいて、それぞれＮ個のビームを使用して第１参照信号を受信する。
【００７８】
一実施形態では、前記第１端末は前記第２端末から送信された制御チャネルを受信し、前記第２端末の制御チャネルと前記第２端末の前記第１参照信号とは時分割される。
【００７９】
例えば、第２端末はサブフレームｎにおいて物理サイドリンク制御チャネル（ＰＳＣＣＨ、Ｐｈｙｓｉｃａｌ  Ｓｉｄｅ  ｌｉｎｋ  Ｃｏｎｔｒｏｌ  Ｃｈａｎｎｅｌ）を送信し、サブフレームｎ＋ｍにおいて第１参照信号を送信し、ｍが０より大きな整数である。又は、第２端末はシンボルｐ〜ｐ＋Ｐ−１においてＰＳＣＣＨを送信し、ＰがＰＳＣＣＨの占有する総シンボル数を示し、シンボルｐ＋Ｐ−１＋ｑにおいて第１参照信号を送信し始め、ｑが０より大きな整数である。第２端末がＮ個の第１参照信号を送信する場合、第２端末はシンボルｐ＋Ｐ−１＋ｑにおいて１番目の第１参照信号を送信し、隣接する２つの第１参照信号間のシンボル数は予め定義されたもの又はネットワークにより設定されたものであってもよい。
【００８０】
本発明の実施例では、前記第２端末の制御チャネルには、第１端末による第１参照信号の受信を補助するための１種類又は複数種類の指示情報が含まれてもよい。
【００８１】
一実施形態では、前記第２端末の制御チャネルは、前記第２端末の前記制御チャネルに対応するデータチャネルに前記第１参照信号が含まれることを決定するための第１指示情報を含む。
【００８２】
例えば、前記第１指示情報が１ビットで示され、該ビットが１である場合、前記第２端末の前記制御チャネルに対応するデータチャネルに前記第１参照信号が含まれることを示し、該ビットが０である場合、前記第２端末の前記制御チャネルに対応するデータチャネルに前記第１参照信号が含まれないことを示す。
【００８３】
一実施形態では、前記第２端末の前記第１参照信号の伝送リソースが前記第２端末の制御チャネルによって決定されることは、具体的に以下のとおりである。
【００８４】
１）明示的な指示方式
前記第２端末の制御チャネルは、前記第１参照信号の伝送リソースを決定するための第２指示情報を含む。
【００８５】
例えば、前記第２端末の制御情報には、第１参照信号の時間周波数リソースを示す指示情報が含まれる。前記第２端末がＮ個の第１参照信号を送信する場合、前記指示情報は１番目の参照信号の時間周波数リソースを示し、隣接する２つの第１参照信号間のシンボル数は予め定義されたもの又はネットワークにより設定されたものであってもよい。
【００８６】
２）暗示的な指示方式
前記第２端末の前記第１参照信号の伝送リソースは前記第２端末の前記制御チャネルの伝送リソースによって決定される。
【００８７】
例えば、前記第１参照信号の時間リソースと前記制御チャネルの時間リソースとの間にＳ個のシンボルの差があり、Ｓが正の整数であり、Ｓは予め定義されたもの又はネットワークにより設定されたものである。
【００８８】
上記技術案では、前記伝送リソースは時間領域リソース及び／又は周波数領域リソースを含み、例えば、前記第１参照信号の伝送リソースは前記第１参照信号の位置する時間領域リソース位置、時間領域リソース長、周波数領域リソース位置、周波数領域リソース長等を含み、前記制御チャネルの伝送リソースは前記制御チャネルの位置する時間領域リソース位置、時間領域リソース長、周波数領域リソース位置、周波数領域リソース長等を含む。
【００８９】
上記方式１）にとって、制御チャネルによって前記第１参照信号の伝送リソースを明示的に示す。上記方式２）にとって、制御チャネルによって前記第１参照信号の伝送リソースを暗示的に示し、このような方式により、第１端末は前記第２端末の前記制御チャネルの伝送リソースに基づいて前記第１参照信号の伝送リソースを推測することができる。
【００９０】
一実施形態では、前記第２端末の制御チャネルは、前記第１参照信号が前記第１端末による目標チャネルの選択それとも前記第２端末による目標チャネルの選択に使用されるかを決定するための第３指示情報を含む。
【００９１】
例えば、前記第３指示情報が１ビットで示され、該ビットが１である場合、前記第１参照信号が前記第１端末による目標チャネルの選択に用いられることを示し、該ビットが０である場合、前記第１参照信号が前記第２端末による目標チャネルの選択に用いられることを示す。
【００９２】
一実施形態では、前記第２端末の制御チャネルは前記Ｎの値を決定するための第４指示情報を含む。例えば、Ｋ個のビットでＮの値を示し、Ｋが正の整数、例えば１、２、３、４等である。
【００９３】
第１端末は第２端末の制御チャネルから第４指示情報を取得し、第４指示情報に基づいてＮの値を決定した後、対応する個数（即ちＮ個）のチャネル（又はビーム）を選択して時間領域においてそれぞれＮ個の第１参照信号を受信してもよい。
【００９４】
一実施形態では、前記Ｎの値はネットワークにより設定されたもの又は予め設定されたものである。前記第２端末はネットワークにより設定されたもの又は予め設定されたものに基づいてＮ値を決定し、Ｎ個の第１参照信号を送信し、且つ制御チャネルによってＮ値を示す。第１端末は前記第２端末の前記制御チャネルを検出することによりＮ値を決定して、Ｎ個のチャネル（又はビーム）を利用して前記第２端末のＮ個の第１参照信号を受信する。
【００９５】
一実施形態では、前記第１参照信号はネットワークにより設定されたもの又は予め設定されたものである。例えば、前記第１参照信号のフォーマット、前記第１参照信号のシーケンス（即ち内容）はネットワークにより設定されたもの又は予め設定されたものである。
【００９６】
ステップ３０２、前記第１端末は前記Ｎ個のチャネルにおいて受信された第１参照信号に基づいて、前記Ｎ個のチャネルから目標チャネルを選択する。
【００９７】
本発明の実施例では、前記第１端末は前記Ｎ個のチャネルにおける第１参照信号の信号品質を測定し、前記Ｎ個のチャネルに対応する信号品質に基づいて前記Ｎ個のチャネルから目標チャネルを選択する。
【００９８】
ここで、前記第１参照信号の信号品質は参照信号受信電力（ＲＳＲＰ、Ｒｅｆｅｒｅｎｃｅ  Ｓｉｇｎａｌ  Ｒｅｃｅｉｖｅｄ  Ｐｏｗｅｒ）、受信信号強度インジケータ（ＲＳＳＩ、Ｒｅｃｅｉｖｅｄ  Ｓｉｇｎａｌ  Ｓｔｒｅｎｇｔｈ  Ｉｎｄｉｃａｔｏｒ）、信号対干渉雑音比（ＳＩＮＲ、Ｓｉｇｎａｌ  ｔｏ  Ｉｎｔｅｒｆｅｒｅｎｃｅ  Ｎｏｉｓｅ  Ｒａｔｉｏ）等を含む。
【００９９】
本発明の実施例では、前記第１端末はＮ個のチャネルからチャネル品質の最適なチャネルを目標チャネルとして選択する。
【０１００】
ステップ３０３、前記第１端末は前記目標チャネルにおいて前記第２端末にデータ又はシグナリングを伝送する。
【０１０１】
本発明の実施例では、第１端末は以下の方式でデータ又はシグナリングを伝送するための目標伝送リソースを取得する。
【０１０２】
１）モード４
前記第１端末がセンシングによって目標伝送リソースを取得し、又は、
２）モード３
前記第１端末がネットワークから送信されたリソース構成情報を受信し、前記リソース構成情報は前記第１端末がデータを伝送するために用いた目標伝送リソースを含む。
【０１０３】
本発明の実施例では、前記第１端末は前記目標伝送リソースにおいて前記目標チャネルを使用して前記第２端末にデータ又はシグナリングを伝送する。例えば、前記第１端末のＰＳＣＣＨ又は物理サイドリンク共有チャネル（ＰＳＳＣＨ、Ｐｈｙｓｉｃａｌ  Ｓｉｄｅ  ｌｉｎｋ  Ｓｈａｒｅ  Ｃｈａｎｎｅｌ）は前記目標チャネルを介して伝送される。第２端末は全方向性の方式で第１端末から送信されたデータ又はシグナリングを受信する。
【０１０４】
図４は本発明の実施例のデータ伝送方法の模式的なフローチャート２であり、図４に示すように、前記データ伝送方法は以下のステップを含む。
【０１０５】
ステップ４０１、第２端末は、第１端末に第１参照信号を送信し、前記第１参照信号が前記第１端末によりＮ個のチャネルを介して受信され、前記Ｎ個のチャネルにおいて受信された第１参照信号に基づいて前記Ｎ個のチャネルから目標チャネルを選択し、Ｎが正の整数であり、異なるチャネル間の伝送リソースが時分割される。
【０１０６】
本発明の実施例では、第１端末及び第２端末のタイプは制限されず、車載端末、携帯電話、ノートパソコン等の装置であってもよい。
【０１０７】
本発明の実施例では、第２端末は全方向性の方式で第１参照信号を送信し、第１端末はＮ個のチャネルを介して第２端末から送信された第１参照信号を受信し、異なるチャネル間の伝送リソースが時分割される。
【０１０８】
ここで、第１端末がＮ個のチャネルを介して第２端末から送信された第１参照信号を受信することは、以下の方式で実現される。
【０１０９】
第１端末がＢｅａｍｆｏｒｍｉｎｇ技術でＮ個のビームを形成し、異なるビーム間の伝送リソースが時分割され、１つのビームが１つのチャネルを代表し、第１端末がビームポーリング方式でそれぞれＮ個のビーム（即ちチャネル）を使用して前記第２端末から送信されたＮ個の第１参照信号を受信し、ここで、前記Ｎ個の第１参照信号が時分割され、前記伝送リソースが時間周波数リソースであってもよい。
【０１１０】
例えば、第２端末がＮ個の第１参照信号を送信し、各参照信号が１つのＯＦＤＭシンボルを占有し、第１端末がそれぞれＮ個のビームを使用してＮ個の第１参照信号を受信し、即ち、第１端末は第１参照信号の位置するＮ個のシンボルにおいて、それぞれＮ個のビームを使用して第１参照信号を受信する。
【０１１１】
一実施形態では、前記第２端末は前記第１端末に制御チャネルを送信し、前記第２端末の制御チャネルと前記第２端末の前記第１参照信号とは時分割される。
【０１１２】
例えば、第２端末はサブフレームｎにおいてＰＳＣＣＨを送信し、サブフレームｎ＋ｍにおいて第１参照信号を送信し、ｍが０より大きな整数である。又は、第２端末はシンボルｐ〜ｐ＋Ｐ−１においてＰＳＣＣＨを送信し、ＰがＰＳＣＣＨの占有する総シンボル数を示し、シンボルｐ＋Ｐ−１＋ｑにおいて第１参照信号を送信し始め、ｑが０より大きな整数である。第２端末がＮ個の第１参照信号を送信する場合、第２端末はシンボルｐ＋Ｐ−１＋ｑにおいて１番目の第１参照信号を送信し、隣接する２つの第１参照信号間のシンボル数は予め定義されたもの又はネットワークにより設定されたものであってもよい。
【０１１３】
本発明の実施例では、前記第２端末の制御チャネルには、第１端末による第１参照信号の受信を補助するための１種類又は複数種類の指示情報が含まれてもよい。
【０１１４】
一実施形態では、前記第２端末の制御チャネルは、前記第２端末の前記制御チャネルに対応するデータチャネルに前記第１参照信号が含まれることを決定するための第１指示情報を含む。
【０１１５】
一実施形態では、前記第２端末の前記第１参照信号の伝送リソースが前記第２端末の制御チャネルによって決定されることは、具体的に以下のとおりである。
【０１１６】
１）明示的な指示方式
前記第２端末の制御チャネルは、前記第１参照信号の伝送リソースを決定するための第２指示情報を含む。
【０１１７】
例えば、前記第２端末の制御情報には、第１参照信号の時間周波数リソースを示す指示情報が含まれる。前記第２端末がＮ個の第１参照信号を送信する場合、前記指示情報は１番目の参照信号の時間周波数リソースを示し、隣接する２つの第１参照信号間のシンボル数は予め定義されたもの又はネットワークにより設定されたものであってもよい。
【０１１８】
２）暗示的な指示方式
前記第２端末の前記第１参照信号の伝送リソースは前記第２端末の前記制御チャネルの伝送リソースによって決定される。
【０１１９】
例えば、前記第１参照信号の時間リソースと前記制御チャネルの時間リソースとの間にＳ個のシンボルの差があり、Ｓが正の整数であり、Ｓは予め定義されたもの又はネットワークにより設定されたものである。
【０１２０】
一実施形態では、前記第２端末の制御チャネルは、前記第１参照信号が前記第１端末による目標チャネルの選択それとも前記第２端末による目標チャネルの選択に使用されるかを決定するための第３指示情報を含む。
【０１２１】
一実施形態では、前記第２端末は前記第１端末にＮ個の第１参照信号を送信し、それにより前記第１端末はＮ個のチャネルを介してそれぞれ前記Ｎ個の第１参照信号を受信し、前記Ｎ個の第１参照信号が時分割される。
【０１２２】
一実施形態では、前記第２端末の制御チャネルは前記Ｎの値を決定するための第４指示情報を含む。このように、第１端末は第２端末の制御チャネルから第４指示情報を取得し、第４指示情報に基づいてＮの値を決定した後、対応する個数（即ちＮ個）のチャネル（又はビーム）を選択して時間領域においてそれぞれＮ個の第１参照信号を受信してもよい。
【０１２３】
一実施形態では、前記Ｎの値はネットワークにより設定されたもの又は予め設定されたものである。前記第２端末はネットワークにより設定されたもの又は予め設定されたものに基づいてＮ値を決定し、Ｎ個の第１参照信号を送信し、且つ制御チャネルによってＮ値を示す。第１端末は前記第２端末の前記制御チャネルを検出することによりＮ値を決定して、Ｎ個のチャネル（又はビーム）を利用して前記第２端末のＮ個の第１参照信号を受信する。
【０１２４】
一実施形態では、前記第１参照信号はネットワークにより設定されたもの又は予め設定されたものである。例えば、前記第１参照信号のフォーマット、前記第１参照信号のシーケンス（即ち内容）はネットワークにより設定されたもの又は予め設定されたものである。
【０１２５】
ステップ４０２、前記第２端末は前記第１端末が前記目標チャネルにおいて送信したデータ又はシグナリングを受信する。
【０１２６】
本発明の実施例では、前記第１端末は前記Ｎ個のチャネルにおける第１参照信号の信号品質（例えば、ＲＳＲＰ、ＲＳＳＩ、ＳＩＮＲ）を測定し、前記Ｎ個のチャネルに対応する信号品質に基づいて前記Ｎ個のチャネルから目標チャネルを選択する。前記第１端末が前記目標伝送リソースにおいて前記目標チャネルを使用して前記第２端末にデータ又はシグナリングを伝送する。例えば、前記第１端末のＰＳＣＣＨ又はＰＳＳＣＨは前記目標チャネルを介して伝送される。第２端末は全方向性の方式で第１端末が前記目標チャネルにおいて送信したデータ又はシグナリングを受信する。
【０１２７】
図５は本発明の実施例のデータ伝送装置の構造模式図１であり、図５に示すように、前記データ伝送装置は、
Ｎ個のチャネルを介して第２端末から送信された第１参照信号を受信することに用いられ、Ｎが正の整数であり、異なるチャネル間の伝送リソースが時分割される第１受信ユニット５０１と、
前記Ｎ個のチャネルにおいて受信された第１参照信号に基づいて、前記Ｎ個のチャネルから目標チャネルを選択することに用いられる選択ユニット５０２と、
前記目標チャネルにおいて前記第２端末にデータ又はシグナリングを伝送することに用いられる伝送ユニット５０３と、を備える。
【０１２８】
一実施形態では、前記装置は更に、
前記第２端末から送信された制御チャネルを受信することに用いられ、前記第２端末の制御チャネルと前記第２端末の前記第１参照信号が時分割される第２受信ユニット５０４を備える。
【０１２９】
一実施形態では、前記第２端末の制御チャネルは、前記第２端末の前記制御チャネルに対応するデータチャネルに前記第１参照信号が含まれることを決定するための第１指示情報を含む。
【０１３０】
一実施形態では、前記第２端末の前記第１参照信号の伝送リソースは前記第２端末の制御チャネルによって決定される。
【０１３１】
一実施形態では、前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む。
【０１３２】
一実施形態では、前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む。
【０１３３】
一実施形態では、前記第２端末の制御チャネルは、前記第１参照信号が前記第１端末による目標チャネルの選択それとも前記第２端末による目標チャネルの選択に使用されるかを決定するための第３指示情報を含む。
【０１３４】
一実施形態では、前記第１受信ユニット５０１は、Ｎ個のチャネルを介してそれぞれ前記第２端末から送信されたＮ個の第１参照信号を受信することに用いられ、前記Ｎ個の第１参照信号が時分割される。
【０１３５】
一実施形態では、前記第２端末の制御チャネルは前記Ｎの値を決定するための第４指示情報を含む。
【０１３６】
一実施形態では、前記Ｎの値はネットワークにより設定されたもの又は予め設定されたものである。
【０１３７】
一実施形態では、前記第１参照信号はネットワークにより設定されたもの又は予め設定されたものである。
【０１３８】
一実施形態では、前記装置は更に、
前記Ｎ個のチャネルにおける第１参照信号の信号品質を測定することに用いられる測定ユニット５０５を備え、
前記選択ユニット５０２は、前記Ｎ個のチャネルに対応する信号品質に基づいて前記Ｎ個のチャネルから目標チャネルを選択することに用いられる。
【０１３９】
一実施形態では、前記装置は更に、
センシングによって目標伝送リソースを取得し、又はネットワークから送信されたリソース構成情報を受信することに用いられ、前記リソース構成情報は前記第１端末がデータを伝送するために用いた目標伝送リソースを含むリソース取得ユニット５０６を備え、
前記伝送ユニット５０３は、前記目標伝送リソースにおいて前記目標チャネルを使用して前記第２端末にデータ又はシグナリングを伝送することに用いられる。
【０１４０】
当業者であれば理解できるように、図５に示されるデータ伝送装置の各ユニットの実現機能は上記データ伝送方法の関連説明を参照して理解されてもよい。図５に示されるデータ伝送装置の各ユニットの機能はプロセッサにおいて実行されるプログラムによって実現されてもよく、具体的な論理回路によって実現されてもよい。
【０１４１】
図６は本発明の実施例のデータ伝送装置の構造模式図２であり、図６に示すように、前記データ伝送装置は、
第１端末に第１参照信号を送信し、前記第１参照信号が前記第１端末によりＮ個のチャネルを介して受信され、前記Ｎ個のチャネルにおいて受信された第１参照信号に基づいて前記Ｎ個のチャネルから目標チャネルを選択することに用いられ、Ｎが正の整数であり、異なるチャネル間の伝送リソースが時分割される第１送信ユニット６０１と、
前記第１端末が前記目標チャネルにおいて送信したデータ又はシグナリングを受信することに用いられる伝送ユニット６０２と、を備える。
【０１４２】
一実施形態では、前記装置は更に、
前記第１端末に制御チャネルを送信することに用いられ、前記第２端末の制御チャネルと前記第２端末の前記第１参照信号が時分割される第２送信ユニット６０３を備える。
【０１４３】
一実施形態では、前記第２端末の制御チャネルは、前記第２端末の前記制御チャネルに対応するデータチャネルに前記第１参照信号が含まれることを決定するための第１指示情報を含む。
【０１４４】
一実施形態では、前記第２端末の前記第１参照信号の伝送リソースは前記第２端末の制御チャネルによって決定される。
【０１４５】
一実施形態では、前記第２端末の前記第１参照信号の伝送リソースが前記第２端末の制御チャネルによって決定されることは、
前記第２端末の制御チャネルが、前記第１参照信号の伝送リソースを決定するための第２指示情報を含むことを含む。
【０１４６】
一実施形態では、前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む。
【０１４７】
一実施形態では、前記第２端末の制御チャネルは、前記第１参照信号が前記第１端末による目標チャネルの選択それとも前記第２端末による目標チャネルの選択に使用されるかを決定するための第３指示情報を含む。
【０１４８】
一実施形態では、前記第１送信ユニット６０１は、前記第１端末にＮ個の第１参照信号を送信し、それにより前記第１端末がＮ個のチャネルを介してそれぞれ前記Ｎ個の第１参照信号を受信することに用いられ、前記Ｎ個の第１参照信号が時分割される。
【０１４９】
一実施形態では、前記第２端末の制御チャネルは前記Ｎの値を決定するための第４指示情報を含む。
【０１５０】
一実施形態では、前記Ｎの値はネットワークにより設定されたもの又は予め設定されたものである。
【０１５１】
一実施形態では、前記第１参照信号はネットワークにより設定されたもの又は予め設定されたものである。
【０１５２】
当業者であれば理解できるように、図６に示されるデータ伝送装置の各ユニットの実現機能は上記データ伝送方法の関連説明を参照して理解されてもよい。図６に示されるデータ伝送装置の各ユニットの機能はプロセッサにおいて実行されるプログラムによって実現されてもよく、具体的な論理回路によって実現されてもよい。
【０１５３】
本発明の実施例における上記データ伝送装置はソフトウェア機能モジュールの形式で実現され、独立した製品として販売又は使用されるときは、１つのコンピュータ可読記憶媒体に記憶されてもよい。このような理解に基づいて、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【０１５４】
それに対応して、本発明の実施例は更にコンピュータ記憶媒体を提供し、該コンピュータ記憶媒体にコンピュータ実行可能命令が記憶され、該コンピュータ実行可能命令がプロセッサにより実行されるとき、本発明の実施例に記載のデータ伝送方法を実現する。
【０１５５】
図７は本発明の実施例のコンピュータ装置の構造模式図であり、該コンピュータ装置はいかなるタイプの端末であってもよい。図７に示すように、コンピュータ装置１００は１つ又は複数（図面には１つのみを示す）のプロセッサ１００２（プロセッサ１００２はマイクロコントローラユニット（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１００４、及び通信機能のための伝送装置１００６を含んでもよい。当業者であれば理解できるように、図７に示される構造は模式的なものに過ぎず、上記電子装置の構造を制限するためのものではない。例えば、コンピュータ装置１００は更に図７より多く又は少ないコンポーネントを備え、又は図７と異なる構成を有してもよい。
【０１５６】
メモリ１００４はアプリケーションソフトウェアが記憶されるソフトウェアプログラム及びモジュール、例えば本発明の実施例における方法に対応するプログラム命令／モジュールに使用されてもよく、プロセッサ１００２はメモリ１００４に記憶されるソフトウェアプログラム及びモジュールを実行することにより、様々な機能アプリケーション及びデータ処理を実行し、即ち上記方法を実現する。メモリ１００４は高速ランダムアクセスメモリを含んでもよく、更に不揮発性メモリ、例えば１つ又は複数の磁気記憶装置、フラッシュメモリ又は他の不揮発性固体メモリを含んでもよい。いくつかの実例では、メモリ１００４は更にプロセッサ１００２に対して遠隔設置されるメモリを含んでもよく、これらの遠隔メモリはネットワーク経由でコンピュータ装置１００に接続されてもよい。上記ネットワークの実例はインターネット、イントラネット、ローカルエリアネットワーク、移動通信ネットワーク及びそれらの組み合わせを含むが、それらに限らない。
【０１５７】
伝送装置１００６はネットワーク経由でデータを送受信することに用いられる。上記ネットワークの具体的な実例はコンピュータ装置１００の通信プロバイダの提供する無線ネットワークを含んでもよい。１つの実例では、伝送装置１００６は基地局によって他のネットワーク装置に接続されることでインターネットと通信することのできる１つのネットワークインターフェースコントローラ（ＮＩＣ、Ｎｅｔｗｏｒｋ  Ｉｎｔｅｒｆａｃｅ  Ｃｏｎｔｒｏｌｌｅｒ）を備える。１つの実例では、伝送装置１００６は無線方式でインターネットと通信するための無線周波数（ＲＦ、Ｒａｄｉｏ  Ｆｒｅｑｕｅｎｃｙ）モジュールであってもよい。
【０１５８】
衝突しない限り、本発明の実施例に記載の技術案同士は任意に組み合わせられてもよい。
【０１５９】
本発明に係るいくつかの実施例では、理解されるように、開示される方法及びスマートデバイスは他の方式で実現されてもよい。以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される各構成部分間の結合又は直接結合又は通信接続はいくつかのインターフェース、装置又はユニットによる間接結合又は通信接続であってもよく、電気、機械又は他の形式であってもよい。
【０１６０】
分離部材として説明される上記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよく、実際の必要に応じて、その一部又は全部のユニットを選択して本実施例案の目的を実現してもよい。
【０１６１】
また、本発明の各実施例では、各機能ユニットはすべて１つの第２処理ユニットに統合されてもよく、各ユニットはそれぞれ独立して１つのユニットとされてもよく、２つ以上のユニットは１つのユニットに統合されてもよく、上記統合されたユニットはハードウェアの形式で実現されてもよく、ハードウェアプラスソフトウェア機能ユニットの形式で実現されてもよい。以上の説明は本発明の具体的な実施形態に過ぎず、本発明の保護範囲を制限するためのものではなく、当業者が本発明に開示される技術的範囲内で容易に想到し得る変更や置換は、いずれも本発明の保護範囲内に含まれるべきである。
【図１】
2021516479.tif 000003
【図２】
2021516479.tif 000004
【図３】
2021516479.tif 000005
【図４】
2021516479.tif 000006
【図５】
2021516479.tif 000007
【図６】
2021516479.tif 000008
【図７】
2021516479.tif 000009
【手続補正書】
【提出日】令和3年1月13日(2021.1.13)
【手続補正１】
【補正対象書類名】明細書
【補正対象項目名】００１１
【補正方法】変更
【補正の内容】
【００１１】
本発明の実施例では、前記方法は更に、
前記第１端末が前記第２端末から送信された制御チャネルを受信することを含み、前記第２端末の制御チャネルのリソースと前記第２端末の前記第１参照信号のリソースが時分割される。
【手続補正２】
【補正対象書類名】明細書
【補正対象項目名】００２４
【補正方法】変更
【補正の内容】
【００２４】
本発明の実施例では、前記方法は更に、
前記第２端末が前記第１端末に制御チャネルを送信することを含み、前記第２端末の制御チャネルのリソースと前記第２端末の前記第１参照信号のリソースが時分割される。
【手続補正３】
【補正対象書類名】明細書
【補正対象項目名】００３５
【補正方法】変更
【補正の内容】
【００３５】
本発明の実施例では、前記装置は更に、
前記第２端末から送信された制御チャネルを受信することに用いられ、前記第２端末の制御チャネルのリソースと前記第２端末の前記第１参照信号のリソースが時分割される第２受信ユニットを備える。
【手続補正４】
【補正対象書類名】明細書
【補正対象項目名】００４８
【補正方法】変更
【補正の内容】
【００４８】
本発明の実施例では、前記装置は更に、
前記第１端末に制御チャネルを送信することに用いられ、前記第２端末の制御チャネルのリソースと前記第２端末の前記第１参照信号のリソースが時分割される第２送信ユニットを備える。
【手続補正５】
【補正対象書類名】明細書
【補正対象項目名】００７８
【補正方法】変更
【補正の内容】
【００７８】
一実施形態では、前記第１端末は前記第２端末から送信された制御チャネルを受信し、前記第２端末の制御チャネルのリソースと前記第２端末の前記第１参照信号のリソースとは時分割される。
【手続補正６】
【補正対象書類名】明細書
【補正対象項目名】０１１１
【補正方法】変更
【補正の内容】
【０１１１】
一実施形態では、前記第２端末は前記第１端末に制御チャネルを送信し、前記第２端末の制御チャネルのリソースと前記第２端末の前記第１参照信号のリソースとは時分割される。
【手続補正７】
【補正対象書類名】明細書
【補正対象項目名】０１２８
【補正方法】変更
【補正の内容】
【０１２８】
一実施形態では、前記装置は更に、
前記第２端末から送信された制御チャネルを受信することに用いられ、前記第２端末の制御チャネルのリソースと前記第２端末の前記第１参照信号のリソースが時分割される第２受信ユニット５０４を備える。
【手続補正８】
【補正対象書類名】明細書
【補正対象項目名】０１４２
【補正方法】変更
【補正の内容】
【０１４２】
一実施形態では、前記装置は更に、
前記第１端末に制御チャネルを送信することに用いられ、前記第２端末の制御チャネルのリソースと前記第２端末の前記第１参照信号のリソースが時分割される第２送信ユニット６０３を備える。
【手続補正９】
【補正対象書類名】明細書
【補正対象項目名】０１５９
【補正方法】変更
【補正の内容】
【０１５９】
本発明に係るいくつかの実施例では、理解されるように、開示される方法及び装置は他の方式で実現されてもよい。以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される各構成部分間の結合又は直接結合又は通信接続はいくつかのインターフェース、装置又はユニットによる間接結合又は通信接続であってもよく、電気、機械又は他の形式であってもよい。
【手続補正１０】
【補正対象書類名】特許請求の範囲
【補正対象項目名】全文
【補正方法】変更
【補正の内容】
【特許請求の範囲】
【請求項１】
データ伝送方法であって、
第１端末はＮ個のチャネルを介して第２端末から送信された第１参照信号を受信し、Ｎが正の整数であり、異なるチャネル間の伝送リソースが時分割されることと、
前記第１端末は前記Ｎ個のチャネルにおいて受信された第１参照信号に基づいて、前記Ｎ個のチャネルから目標チャネルを選択することと、
前記第１端末は前記目標チャネルにおいて前記第２端末にデータ又はシグナリングを伝送することと、を含むデータ伝送方法。
【請求項２】
前記方法は更に、
前記第１端末が前記第２端末から送信された制御チャネルを受信することを含み、前記第２端末の制御チャネルのリソースと前記第２端末の前記第１参照信号のリソースとは時分割される請求項１に記載の方法。
【請求項３】
前記第２端末の制御チャネルは、前記第２端末の前記制御チャネルに対応するデータチャネルに前記第１参照信号が含まれることを決定するための第１指示情報を含み、
或いは、
前記第２端末の制御チャネルは、前記第１参照信号が前記第１端末による目標チャネルの選択それとも前記第２端末による目標チャネルの選択に使用されるかを決定するための第３指示情報を含み、
或いは、
前記第２端末の制御チャネルは、前記Ｎの値を決定するための第４指示情報を含む請求項１又は２に記載の方法。
【請求項４】
前記第２端末の前記第１参照信号の伝送リソースは前記第２端末の制御チャネルによって決定される請求項１〜３のいずれか１項に記載の方法。
【請求項５】
前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む請求項４に記載の方法。
【請求項６】
前記Ｎの値はネットワークにより設定されたもの又は予め設定されたものである請求項１〜５のいずれか１項に記載の方法。
【請求項７】
前記第１端末が前記Ｎ個のチャネルにおいて受信された第１参照信号に基づいて、前記Ｎ個のチャネルから目標チャネルを選択することは、
前記第１端末が前記Ｎ個のチャネルにおける第１参照信号の信号品質を測定し、前記Ｎ個のチャネルに対応する信号品質に基づいて前記Ｎ個のチャネルから目標チャネルを選択することを含む請求項１〜６のいずれか１項に記載の方法。
【請求項８】
データ伝送装置であって、
Ｎ個のチャネルを介して第２端末から送信された第１参照信号を受信することに用いられ、Ｎが正の整数であり、異なるチャネル間の伝送リソースが時分割される第１受信ユニットと、
前記Ｎ個のチャネルにおいて受信された第１参照信号に基づいて、前記Ｎ個のチャネルから目標チャネルを選択することに用いられる選択ユニットと、
前記目標チャネルにおいて前記第２端末にデータ又はシグナリングを伝送することに用いられる伝送ユニットと、を備えるデータ伝送装置。
【請求項９】
前記装置は更に、
前記第２端末から送信された制御チャネルを受信することに用いられ、前記第２端末の制御チャネルのリソースと前記第２端末の前記第１参照信号のリソースが時分割される第２受信ユニットを備える請求項８に記載の装置。
【請求項１０】
前記第２端末の制御チャネルは、前記第２端末の前記制御チャネルに対応するデータチャネルに前記第１参照信号が含まれることを決定するための第１指示情報を含み、
或いは、
前記第２端末の制御チャネルは、前記第１参照信号が前記第１端末による目標チャネルの選択それとも前記第２端末による目標チャネルの選択に使用されるかを決定するための第３指示情報を含み、
或いは、
前記第２端末の制御チャネルは、前記Ｎの値を決定するための第４指示情報を含む請求項８又は９に記載の装置。
【請求項１１】
前記第２端末の前記第１参照信号の伝送リソースは前記第２端末の制御チャネルによって決定される請求項８〜１０のいずれか１項に記載の装置。
【請求項１２】
前記第２端末の前記第１参照信号の伝送リソースが前記第２端末の制御チャネルによって決定されることは、
前記第２端末の前記第１参照信号の伝送リソースが前記第２端末の前記制御チャネルの伝送リソースによって決定されることを含む請求項１１に記載の装置。
【請求項１３】
前記Ｎの値はネットワークにより設定されたもの又は予め設定されたものである請求項８〜１２のいずれか１項に記載の装置。
【請求項１４】
前記装置は更に、
前記Ｎ個のチャネルにおける第１参照信号の信号品質を測定することに用いられる測定ユニットを備え、
前記選択ユニットは、前記Ｎ個のチャネルに対応する信号品質に基づいて前記Ｎ個のチャネルから目標チャネルを選択することに用いられる請求項８〜１３のいずれか１項に記載の装置。
【請求項１５】
コンピュータ記憶媒体であって、コンピュータ実行可能命令が記憶され、該コンピュータ実行可能命令がプロセッサにより実行されるとき、請求項１〜７のいずれか１項に記載の方法ステップを実現するコンピュータ記憶媒体。
【国際調査報告】
2021516479.tif 000010
2021516479.tif 000011
2021516479.tif 000012
2021516479.tif 000013